(57)【要約】【課題】本体の上面と載置面との段差をより小さくする。【解決手段】上面に操作部が設けられた本体と、前記本体の第１の側の縁部に位置する回転軸を中心に前記本体の上面に対して開閉可能に設けられた開閉部材と、を備え、前記開閉部材が開かれると前記開閉部材の少なくとも一部と載置面との当接により前記本体が押し上げられ、前記本体の厚みは、前記第１の側から前記第１の側と反対側の第２の側に向けて減少する、操作装置。【選択図】図３
2014061302.tif 000002
【特許請求の範囲】
【請求項１】
上面に操作部が設けられた本体と、
前記本体の第１の側の縁部に位置する回転軸を中心に前記本体の上面に対して開閉可能に設けられた開閉部材と、
を備え、
前記開閉部材が開かれると前記開閉部材の少なくとも一部と載置面との当接により前記本体が押し上げられ、
前記本体の厚みは、前記第１の側から前記第１の側と反対側の第２の側に向けて減少する、操作装置。
【請求項２】
前記開閉部材は、屈曲部、前記屈曲部により区分される第１領域および第２領域を有し、
前記屈曲部が前記載置面に当接する、請求項１に記載の操作装置。
【請求項３】
前記回転軸および前記屈曲部間の長さは、前記回転軸および前記本体の底面間の長さよりも長い、請求項２に記載の操作装置。
【請求項４】
前記開閉部材の前記第１領域と前記第２領域は鋭角を成す、請求項２に記載の操作装置。
【請求項５】
前記第１領域と前記第２領域とが成す角度は４５度以下である、請求項４に記載の操作装置。
【請求項６】
前記上面の前記第２の側の縁部は、前記本体の底面の前記第２の側の縁部よりも突出している、請求項１に記載の操作装置。
【請求項７】
前記開閉部材が開かれた状態において、前記上面の前記第２の側の縁部の前記載置面からの高さは、前記上面の第１の側の縁部の載置面からの高さの１／３以下となる、請求項１に記載の操作装置。
【請求項８】
前記開閉部材が開かれた状態において、前記上面の傾斜の延長線と前記載置面とが交差する点の前記本体からの距離は、前記本体の前記第１の側の縁部と前記第２の側の縁部の間の長さの半分よりも小さい、請求項１に記載の操作装置。
【請求項９】
前記開閉部材が開かれた状態と前記開閉部材が開かれていない状態とにおいて、前記開閉部材と前記本体とを連結するヒンジ部のトルクが異なる、請求項１に記載の操作装置。
【請求項１０】
前記開閉部材が開かれていない状態においては、前記開閉部材と載置面との成す角度が所定の角度を超えてから前記トルクが一様となり、前記開閉部材が開かれた状態においては、前記開閉部材と載置面との成す角度が所定の区間内の場合に前記トルクが増大する、請求項９に記載の操作装置。
【請求項１１】
前記所定の区間の開始角度は、１０５度近傍の角度である、
請求項１０に記載の操作装置。
【請求項１２】
前記所定の区間の開始角度は、９０度〜１１０度の範囲内のいずれかの角度である、
請求項１１に記載の操作装置。
【請求項１３】
前記本体が前記載置面に載置された状態において、前記開閉部材が押圧された場合に、前記開閉部材が開かれた状態においては、前記開閉部材が前記本体に対して回転せず、前記開閉部材が開かれていない状態においては、前記開閉部材が前記本体に対して回転する、
請求項１に記載の操作装置。
【請求項１４】
前記開閉部材は、前記載置面に当接する屈曲部を有し、
前記屈曲部は、前記開閉部材が開かれると前記回転軸から前記載置面に下ろした垂線の足よりも奥側において前記載置面に当接する、
請求項１に記載の操作装置。
【発明の詳細な説明】
【技術分野】
【０００１】
本開示は、操作装置に関する。
【背景技術】
【０００２】
近日、ノート型パーソナルコンピュータのような折り畳み式の操作装置が広く普及している。この操作装置は、一般的に、キーボードを備える本体と、本体に対して開閉可能に設けられた表示部から構成される。【０００３】
例えば特許文献１に記載されているように、表示部を開いた場合に、表示部の一部が載置面に当接することにより、本体が持ち上げられる機構を備える操作装置も知られている。
【先行技術文献】
【特許文献】
【０００４】
【特許文献１】特開２０１１−６５６１６号公報
【発明の概要】
【発明が解決しようとする課題】
【０００５】
ところで、操作装置のユーザから見た手前側の上面と載置面との段差が小さいと、ユーザが本体の上面と載置面との境界を意識せずに手を置けるので、ユーザの使い心地が良くなる。この点に関し、上記特許文献１に記載された機構では、本体の持ち上げによる回転に伴い本体の手前側の上面が載置面に近づくが、段差を小さくするための更なる工夫が望まれた。【０００６】
そこで、本開示では、本体の上面と載置面との段差をより小さくすることが可能な、新規かつ改良された操作装置を提案する。
【課題を解決するための手段】
【０００７】
本開示によれば、上面に操作部が設けられた本体と、前記本体の第１の側の縁部に位置する回転軸を中心に前記本体の上面に対して開閉可能に設けられた開閉部材と、を備え、前記開閉部材が開かれると前記開閉部材の少なくとも一部と載置面との当接により前記本体が押し上げられ、前記本体の厚みは、前記第１の側から前記第１の側と反対側の第２の側に向けて減少する、操作装置が提供される。
【発明の効果】
【０００８】
以上説明したように本開示によれば、本体の上面と載置面との段差をより小さくすることができる。
【図面の簡単な説明】
【０００９】
【図１】本開示の実施形態による操作装置１の外観を示した斜視図である。
【図２】開閉部材３が閉じられている閉状態の操作装置１を示した側面図である。
【図３】開閉部材３が開かれている開状態の操作装置１を示した側面図である。
【図４】本体２の外観を示した側面図である。
【図５】開閉部材３の構成を示した側面図である。
【図６】載置面に載置された開状態の操作装置１を示した側面図である。
【図７】操作装置１の構成の変形例を示した側面図である。
【図８】操作装置１の構成の変形例を示した側面図である。
【図９】操作装置１の構成の変形例を示した側面図である。
【図１０】操作装置１の構成の変形例を示した側面図である。
【図１１】開状態の操作装置１の平面図である。
【図１２】開状態の操作装置１の背面図である。
【図１３】開状態の操作装置１の正面図である。
【図１４】開状態の操作装置１の右側面図である。
【図１５】開状態の操作装置１の左側面図である。
【図１６】開状態の操作装置１の底面図である。
【図１７】操作装置１のハードウェア構成を示したブロック図である。
【図１８】開閉部材３が閉じられている状態における操作装置１を示した側面図である。
【図１９】開閉部材３と載置面との成す角度が６０度の場合における操作装置１を示した側面図である。
【図２０】開閉部材３と載置面との成す角度が１０５度の場合における操作装置１を示した側面図である。
【図２１】開閉部材３と載置面との成す角度が１３５度の場合における操作装置１を示した側面図である。
【図２２】本体２に対して開閉部材３が回転しないという条件を満たすために開閉部材３に加えられる力の大きさの上限値Ｆを説明するための図である。
【図２３】載置面と開閉部材３とが成す角度とトルクとの関係の第１の例を示す図である。
【図２４】載置面と開閉部材３とが成す角度とトルクとの関係の第１の例を示す図である。
【図２５】操作装置１に対して磁石Ｍを付加させる例を示す図である。
【発明を実施するための形態】
【００１０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１１】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００１２】
また、以下に示す項目順序に従って本開示を説明する。
１．操作装置の基本構成
２．本体の構成
３．開閉部材の構成
４．段差の条件
５．操作装置の六面図
６．ハードウェア構成
７．トルクの設定
８．磁石の使用
９．むすび
【００１３】
＜１．操作装置の基本構成＞
本開示による技術は、一例として以下に説明するように、多様な形態で実施され得る。また、本開示の実施形態による操作装置１は、
Ａ．上面に操作部が設けられた本体（２）と、
Ｂ．前記本体の第１の側の縁部に位置する回転軸（Ｃ）を中心に前記本体の上面に対して開閉可能に設けられた開閉部材（３）と、
を備え、
Ｃ．前記開閉部材が開かれた状態において前記開閉部材の少なくとも一部が載置面に当接し、
Ｄ．前記本体の厚みは、前記第１の側から前記第１の側と反対側の第２の側に向けて減少する。
【００１４】
以下では、まず、このような本開示の実施形態による操作装置１の基本構成を図１〜図３を参照して説明する。
【００１５】
図１は、本開示の実施形態による操作装置１の外観を示した斜視図である。図１に示したように、本開示の実施形態による操作装置１は、本体２と、開閉部材３とを備える。
【００１６】
本体２の上面には、キーボードユニット４およびパームレスト５が設けられる。キーボードユニット４は、複数のキーからなり、ユーザが操作入力を行うための操作部として機能する。パームレスト５は、ユーザがキーボードユニット４を操作する際に手を置けるように、キーボードユニット４の手前側に位置する。なお、図１においては操作部の一例としてキーボードユニット４を示しているが、操作部は、タッチパッド、タッチパネル、スティック、ダイヤル、トラックボールなどの他の操作ユニット並びにこれらの結合であってもよい。
【００１７】
本体２の側面には、複数の外部接続端子６が設けられる。外部接続端子６としては、ＵＳＢ（Ｕｎｉｖｅｒｓａｌ  Ｓｅｒｉａｌ  Ｂｕｓ）コネクタ、ＶＧＡ（Ｖｉｄｅｏ  Ｇｒａｐｈｉｃｓ  Ａｒｒａｙ）コネクタおよびイーサーネットケーブル接続用のイーサーコネクタなどが挙げられる。ＶＧＡコネクタは、例えばＶＧＡコネクタケーブルを介して表示処理ユニット（ディスプレイ）に映像信号を供給する。イーサーネットケーブル接続用のイーサーコネクタは、イーサーネットケーブルの端部に設けられたコネクタ部が接続される。
【００１８】
さらに、本体２は、ＣＰＵ（Ｃｅｎｔｒａｌ  Ｐｒｏｃｅｓｓｉｎｇ  Ｕｎｉｔ）、およびストレージ装置などの各種ハードウェアを内蔵する。ＣＰＵは、キーボードユニット４、または外部接続端子６などからの入力信号を受けて、演算処理、制御処理、画像処理、表示部８の出力処理などの各種処理を行う。なお、本体２を含む操作装置１の詳細なハードウェア構成については図１７を参照して後述する。
【００１９】
開閉部材３は、表示部８を備え、本体２の奥側（第１の側）の縁部に位置する回転軸Ｃを中心に本体２の上面に対して開閉可能となるように本体２と連結される。なお、表示部８は、表示機能と共に操作検出機能を備えるタッチパネルであってもよい。
【００２０】
以上、操作装置１の基本的な外観構成を説明した。続いて、図２および図３を参照し、開閉部材３が閉じられている閉状態、および開閉部材３が開かれている開状態を対比して説明する。
【００２１】
図２は、開閉部材３が閉じられている閉状態の操作装置１を示した側面図である。図３は、開閉部材３が開かれている開状態の操作装置１を示した側面図である。図２に示したように、本実施形態による操作装置１は、開閉部材３が閉じられている閉状態において本体２の底面が載置面と略平行に支持される。
【００２２】
一方、開閉部材３が開かれると、開閉部材３に形成された屈曲部９が図３に示したように載置面に当接することにより、本体２の奥側（第１の側）が押し上げられる。その結果、本体２が底面の手前側（第２の側）の縁部２１を基点に矢印方向に回転するように本体２が押し上げられるので、開状態（一般的に、９０度〜１３５度の範囲で開閉部材３が開かれた使用状態が想定される。）における本体２の上面の手前側の縁部２２と載置面との段差ｘ’は、閉状態における縁部２２と載置面との段差ｘよりも小さくなる。
【００２３】
このように上面の手前側の縁部２２と載置面との段差が小さくなると、ユーザが本体２の上面と載置面との境界を意識せずに当該載置面からパームレスト５にかけて肘から手首並びに手の平を置けるので、ユーザの使い心地が良くなる。また、表示部８を備える開閉部材３が載置面と当接するので、開閉部材３と載置面との摩擦力により、表示部８に操作検出機能を実装した場合であっても、ユーザ操作による開閉部材３のふらつきを抑制することが可能となる。なお、このように開閉部材３がタッチパネルだった場合には操作者による表示部８への接触が増えるので、その際に発生する搖動の抑制を、屈曲部９としてのヒンジに所定のトルクを与えることによって実現し得る。本開示の実施形態による操作装置１は、上述の開閉部材３が本体２を押し上げる構成に加え、ユーザの使用感を向上するためのさらなる工夫が多く実装されている。以下、これらの工夫について順次詳細に説明する。
【００２４】
＜２．本体の構成＞
図４は、本体２の外観を示した側面図である。図４に示したように、本体２の厚みは、奥側から手前側に向けて減少する。具体的には、上面の手前側の縁部２２の厚みｈｆは、本体２の奥側の縁部の厚みｈｂよりも薄く、本体２の厚みは、本体２の奥側から手前側に向けて、厚みｈｂから厚みｈｆへと連続的に減少する。
【００２５】
ここで、縁部２２の厚みｈｆは、底面の手前側の縁部２１の延長線と縁部２２の間の高さ方向の距離であり、図２に示した閉状態における段差ｘに等しい。したがって、手前側の厚みｈｆを奥側のｈｂよりも薄くすることにより、閉状態における段差ｘを小さくすることができるので、開閉部材３が開かれている開状態における段差ｘ’をさらに小さくすることが可能である。すなわち、本体２の手前側（第２の側）における底面側にテーパーを設けることによって、屈曲部９が力点となって本体２を押し上げた際に底面の手前側縁部２１が支点として作用し、本体２の手前側の底面の先端縁部が載置面に接触することを避けることができ、本体２を所定の角度に傾斜させやすくなっている。
【００２６】
さらなる工夫として、図４に示したように、上面の手前側の縁部２２は、底面の手前側の縁部２１よりも本体２の前方に位置している。すなわち、底面の手前側の縁部２１は、本体２の底面側の先端縁部がテーパーとなっていることでより奥まった位置に入り込むように形成される。ここで、底面の手前側の縁部２１は、本体２が押し上げに伴い回動した場合の載置面との接触点となる。このため、回転軸Ｃの押し上げ量が同一であっても、回転軸Ｃから縁部２１までの距離が短いほど、本体２の回転角が大きくなる。
【００２７】
この点に関し、上記のように手前側の縁部２１を本体２の奥側に入り込むように形成し、縁部２１と回転軸Ｃとの距離を小さくすることにより、本体２の回転角が大きくなる。その結果、開状態において上面の手前側の縁部２２が載置面により近くなるので、開状態における段差ｘ’を一層小さくすることが可能である。
【００２８】
なお、本実施形態によれば、載置面に対して本体２の上面に角度を与えることができる。具体的には、手前側の厚みｈｆと奥側の厚みｈｂとの差分による傾斜角と、本体２の回転に伴う回転角との合計値が、本体２の上面の載置面に対する角度となる。ここで、本体２の上面の角度（目安として載置面に対して0度より大きく15度より小さい範囲、好ましくは4度〜10度程度の範囲、さらに好ましくは4.5〜5度の緩やかな傾斜角度）が適正であれば、エルゴノミクスの原理によって操作者の肘から手首までを載置面に置くとともにこの載置面と段差なくパームレスト５に手の平を置くことができるので、長時間の使用においてもユーザが疲れにくくなることが知られている。従って、本実施形態によれば、本体２の上面に所定の角度が望まれる場合に、奥側の厚みｈｂを極端に厚くしたり、手前側の厚みｈｆを極端に薄くしたりすることなく、所望の角度を実現することが可能となる。
【００２９】
＜３．開閉部材の構成＞
以上、図４を参照して本体２の構成を説明した。続いて、図５を参照し、開閉部材３の構成を説明する。
【００３０】
図５は、開閉部材３の構成を示した側面図である。図５に示したように、開閉部材３は、載置面と当接する屈曲部９と、屈曲部９により区分される第１領域３１および第２領域３２を有する。第１領域３１は表示部８が設けられる表示領域であり、第２領域３２は、第１領域３１に対して屈曲し、本体２の回転軸Ｃと連結される連結領域である。
【００３１】
屈曲部９および回転軸Ｃ間の長さｔは、図４に示した本体２の底面および回転軸Ｃ間の長さｈｒよりも長い。かかる構成により、開閉部材３が開かれると屈曲部９が本体２の底面よりも載置面側に突出するので、屈曲部９が載置面と当接し、本体２が押し上げられる。なお、屈曲部９は、図示のように載置面と屈曲部９との摩擦力を高めることが可能なゴム素材による脚部を介在させてもよい。
【００３２】
このような本実施形態による開閉部材３において特筆すべきは、第１領域３１と第２領域３２との成す角度θが鋭角であることである。角度θが鋭角であることにより、以下に説明する多様な効果が得られる。
【００３３】
第１に、角度θが鋭角である場合には、角度θが鈍角である場合よりも、開閉部材３の同一の開き量に対する本体２の持ち上げ量が大きくなる。その結果、本体２の回転角も大きくなるので、開閉部材３が開かれている開状態における段差ｘ’をより小さくすることが可能となる。
【００３４】
第２に、角度θが鋭角である場合には、角度θが鈍角である場合よりも、開閉部材３が開かれた状態における第１領域３１と本体２との間隔Ｌが小さくなる。ＰＣ業界の最近の動向として、表示部８にタッチパネル機能も実装される傾向にあるので、間隔Ｌが小さくなり、ユーザから操作対象までの距離が小さくなることは、キーボードユニット４と表示部８の距離が近いことにより当該キーボード４を操作しながら表示部８をタッチ操作するといったユーザの操作性の観点から効果的である。なお、表示部８の下端縁が本体２の奥側に接触することによる損傷防止やタッチパネルの誤動作を回避するように前記角度θが設定されている。
【００３５】
第３に、角度θが鋭角である場合には、角度θが鈍角である場合よりも、本体２を押し上げた状態での支持が容易になるという効果が得られる。図５に示した屈曲部９および回転軸Ｃを結ぶ直線と載置面との成す角度が水平に近いほど、本体２の重みにより屈曲部９周りのモーメントとして作用する力が強くなる。このため、屈曲部９および回転軸Ｃを結ぶ直線と載置面との成す角度がより水平に近くなると、回転軸Ｃ周りのモーメントにより閉じる方向に開閉部材３が回転しやすくなってしまう。ここで、角度θが鋭角である場合、角度θが鈍角である場合よりも、屈曲部９および回転軸Ｃを結ぶ直線と載置面との成す角度が垂直に近くなる。したがって、角度θを鋭角に形成することにより、本体２を押し上げた状態での安定的な支持が容易になる。
【００３６】
上述したように、第１領域３１と第２領域３２との成す角度θが鋭角であることにより、多様な効果が得られる。上述した各効果は、角度θを４５度未満に設計することにより、より顕著に表れる。例えば、角度θを４５度に設計し、開閉部材３を１３５度開いた場合、屈曲部９および回転軸Ｃを結ぶ直線と載置面との成す角度が垂直になるので、上記の第３の効果が一層顕著に表れる。
【００３７】
＜４．段差の条件＞
以上、図５を参照して開閉部材３の構成を説明した。続いて、少なくともいずれかの開状態において本体２の手前側の上面と載置面との段差ｘ’が満たすべき条件を説明する。
【００３８】
図６は、載置面に載置された開状態の操作装置１を示した側面図である。上述したように、本体２の手前側の上面と載置面との段差ｘ’が小さいほどユーザの使用感が向上する。具体的には、図６に示したように本体２の奥行方向の長さをＤとした場合に、本体２の上面の仮想延長線Ａと載置面とが交差する仮想到着点Ｂが、本体２からＤ／２の範囲内に位置することが望まれる。これは、開状態における段差ｘ’が、上面の奥側の縁部の高さｙ’の１／３以下であること、つまり、ｘ’≦（ｙ’／３）が満たされることにより実現される。
【００３９】
なお、ｘ’≦（ｙ’／３）は、本体２の手前側の縁部２２の厚みｈｆ、回転軸Ｃおよび屈曲部間の長さｔ、回転軸Ｃおよび本体２の底面間の長さｈｒ、本体２の奥側の縁部の厚みｈｂ、および本体２の底面の奥行方向の長さＥが以下の数式を満たすように操作装置１を設計することにより実現される。
【００４０】
【数１】
2014061302.tif 000003
【００４１】
（変形例）
上記では、本体２の手前側の縁部において底面が本体２の奥側に入り込むように形成される例を説明したが、本体２の手前側の縁部を他の形態に形成しても、上記の段差ｘ’に関する条件を満たすことが可能である。
【００４２】
例えば、図７に示すように、本体２の手前側の縁部を、底面が上面に対して突出し、上面から底面に向けて直線で折れ下がる形状に設計してもよい。また、図８に示すように、本体２の手前側の縁部を、底面が上面に対して突出し、上面から底面にかけて曲線で垂れ下がる形状に設計してもよい。また、図９に示すように、本体２の手前側の縁部を、直線または曲線的に反りあがる形状に設計してもよい。また、図１０に示すように、本体２の上面を途中で折れることのない直線または曲線で設計してもよい。
【００４３】
なお、上記では、本体２の上面の仮想延長線Ａと載置面とが交差する仮想到着点Ｂが、本体２から距離Ｄ／２の範囲内に位置するよう設計する例を説明したが、仮想到着点Ｂが本体２から距離Ｄの範囲内に位置するように設計してもよい。これは、開状態における段差ｘ’が、上面の奥側の縁部の高さｙ’の１／２以下であることにより実現される。かかる構成によっても、ユーザが本体の上面と載置面との境界を意識せずに手を置けるので、ユーザの使い心地を向上することが可能である。
【００４４】
＜５．操作装置の六面図＞
以上、本実施形態による操作装置１の構成を説明した。ここで、操作装置１の六面図を図１１〜図１６に添付する。図１１は開状態の操作装置１の平面図であり、図１２は開状態の操作装置１の背面図であり、図１３は開状態の操作装置１の正面図であり、図１４は開状態の操作装置１の右側面図であり、図１５は開状態の操作装置１の左側面図であり、図１６は開状態の操作装置１の底面図である。図１１〜図１６に示した操作装置１の六面図により、操作装置１の外観構成がより詳細に理解される。
【００４５】
＜６．ハードウェア構成＞
続いて、図１７を参照し、本実施形態による操作装置１のハードウェア構成を説明する。操作装置１による情報処理は、以下に説明するハードウェア構成とソフトウェアとの協働により実現される。
【００４６】
図１７は、操作装置１のハードウェア構成を示したブロック図である。操作装置１は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、ホストバス２０４と、を備える。また、操作装置１は、ブリッジ２０５と、外部バス２０６と、インタフェース２０７と、入力装置２０８と、出力装置２１０と、ストレージ装置（ＨＤＤ）２１１と、ドライブ２１２と、通信装置２１５とを備える。
【００４７】
ＣＰＵ２０１は、演算処理装置および制御装置として機能し、各種プログラムに従って操作装置１内の動作全般を制御する。また、ＣＰＵ２０１は、マイクロプロセッサであってもよい。ＲＯＭ２０２は、ＣＰＵ２０１が使用するプログラムや演算パラメータ等を記憶する。ＲＡＭ２０３は、ＣＰＵ２０１の実行において使用するプログラムや、その実行において適宜変化するパラメータ等を一時記憶する。これらはＣＰＵバスなどから構成されるホストバス２０４により相互に接続されている。
【００４８】
ホストバス２０４は、ブリッジ２０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス２０６に接続されている。なお、必ずしもホストバス２０４、ブリッジ２０５および外部バス２０６を分離構成する必要はなく、１つのバスにこれらの機能を実装してもよい。
【００４９】
入力装置２０８は、マウス、キーボードユニット、タッチパネル、ボタン、マイクロフォン、スイッチおよびレバーなどユーザが情報を入力するための入力手段と、ユーザによる入力に基づいて入力信号を生成し、ＣＰＵ２０１に出力する入力制御回路などから構成されている。操作装置１のユーザは、該入力装置２０８を操作することにより、操作装置１に対して各種のデータを入力したり処理動作を指示したりすることができる。なお、該入力装置２０８は、例えば図１に示したキーボードユニット４に対応する。
【００５０】
出力装置２１０は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置を含む。さらに、出力装置２１０は、スピーカおよびヘッドホンなどの音声出力装置を含む。出力装置２１０は、例えば、再生されたコンテンツを出力する。具体的には、表示装置は再生された映像データ等の各種情報をテキストまたはイメージで表示する。一方、音声出力装置は、再生された音声データ等を音声に変換して出力する。
【００５１】
ストレージ装置２１１は、本実施形態にかかる操作装置１の記憶部の一例として構成されたデータ格納用の装置である。ストレージ装置２１１は、記憶媒体、記憶媒体にデータを記録する記録装置、記憶媒体からデータを読み出す読出し装置および記憶媒体に記録されたデータを削除する削除装置などを含んでもよい。ストレージ装置２１１は、例えば、ＨＤＤ（Ｈａｒｄ  Ｄｉｓｋ  Ｄｒｉｖｅ）で構成される。このストレージ装置２１１は、ハードディスクを駆動し、ＣＰＵ２０１が実行するプログラムや各種データを格納する。
【００５２】
ドライブ２１２は、記憶媒体用リーダライタであり、操作装置１に内蔵、あるいは外付けされる。ドライブ２１２は、装着されている磁気ディスク、光ディスク、光磁気ディスク、または半導体メモリ等のリムーバブル記憶媒体２４に記録されている情報を読み出して、ＲＡＭ２０３に出力する。また、ドライブ２１２は、リムーバブル記憶媒体２４に情報を書き込むこともできる。
【００５３】
通信装置２１５は、例えば、通信網１２に接続するための通信デバイス等で構成された通信インタフェースである。また、通信装置２１５は、無線ＬＡＮ（Ｌｏｃａｌ  Ａｒｅａ  Ｎｅｔｗｏｒｋ）対応通信装置であっても、ＬＴＥ（Ｌｏｎｇ  Ｔｅｒｍ  Ｅｖｏｌｕｔｉｏｎ）対応通信装置であっても、有線による通信を行うワイヤー通信装置であってもよい。
【００５４】
＜７．トルクの設定＞
以上、本実施形態による操作装置１のハードウェア構成を説明した。以上に説明した実施形態においては、表示部８は少なくとも表示機能を有しているが、操作検出機能を有しているか否かは特に限定されない。本節においては、表示部８が表示機能と共に操作検出機能を備えるタッチパネルである場合についてさらに検討を加える。なお、本節以降に説明する操作装置１は、既に説明した操作装置１の構成の一部または全部を有していてもよいし、有していなくてもよい。
【００５５】
表示部８が表示機能と共に操作検出機能を備えるタッチパネルである場合を考えると、開閉部材３が開かれた状態においては、ユーザによって表示部８に対するタッチ操作がなされ得る。このとき、タッチ操作の間に開閉部材３が本体２に対して回転してしまうと、ユーザはタッチ操作を行いにくくなってしまう。そこで、開閉部材３が開かれた状態においては、開閉部材３が押圧された場合に開閉部材３が本体２に対して回転しないのが望ましい。一方、開閉部材３が開かれていない状態においては、ユーザによって開閉部材３を開く動作がなされ得る。そこで、開閉部材３が開かれていない状態においては、開閉部材３が押圧された場合に開閉部材３が本体２に対して回転するのが望ましい。
【００５６】
かかる動作を実現するため、以下では、開閉部材３が開かれた状態と開閉部材３が開かれていない状態とにおいて、開閉部材３が押圧された場合に開閉部材３が本体２に対して回転する可能性を異ならせる技術を提案する。具体的には、開閉部材３が開かれた状態と開閉部材３が開かれていない状態とにおいて、開閉部材３と本体２とを連結するヒンジ部のトルク（以下、単に「トルク」とも言う。）が異なる操作装置１を提案する。
【００５７】
なお、上記したように、一般的には、載置面と開閉部材３との成す角度が９０度〜１３５度の状態でユーザによって使用される。したがって、以下では、開閉部材３が開かれた状態とは、載置面に対して開閉部材３が９０度〜１３５度に開かれた状態を意味することとする。また、開閉部材３が開かれていない状態とは、載置面に対して開閉部材３が９０度未満の状態を意味することとする。しかし、開閉部材３が開かれた状態および開閉部材３が開かれていない状態それぞれにおける開閉部材３の角度の具体的な範囲は特に限定されない。
【００５８】
具体的に図面を参照しながら説明する。図１８は、開閉部材３が閉じられている状態における操作装置１を示した側面図である。図１９は、開閉部材３と載置面との成す角度が６０度の場合における操作装置１を示した側面図である。図２０は、開閉部材３と載置面との成す角度が１０５度の場合における操作装置１を示した側面図である。図２１は、開閉部材３と載置面との成す角度が１３５度の場合における操作装置１を示した側面図である。
【００５９】
ここで、図１８に示したような開閉部材３が閉じられている状態からユーザが開閉部材３を開く場合を想定すると、開閉部材３がある程度まで開かれた時点において開閉部材３の少なくとも一部と載置面とが当接し、本体２が押し上げられる。開閉部材３の少なくとも一部と載置面とが当接しはじめる角度は特に限定されないが、例えば、図１９に示すように、６０度であってもよい。なお、図１９に示すように、回転軸Ｃから載置面に下ろした垂線の足と当接位置との距離をＮと表すことにする。
【００６０】
さらにユーザが開閉部材３を開き、開閉部材３がある程度まで開かれた時点において屈曲部９と載置面とが当接する。屈曲部９が載置面のどの位置において当接するかは特に限定されないが、回転軸Ｃから載置面に下ろした垂線の足よりも奥側において載置面に当接するのが好ましい。かかる位置において屈曲部９が当接されれば、開閉部材３の回転を妨げる力が働くため、表示部８への接触に起因する開閉部材３のふらつきを抑制することが可能となる。図２０に示した例では、回転軸Ｃから載置面に下ろした垂線の足よりも奥側において屈曲部９が載置面に当接している。
【００６１】
さらにユーザが開閉部材３を開くと、開閉部材がある程度まで開かれた時点において、回転軸Ｃから載置面に下ろした垂線の足と当接位置との距離Ｎがゼロになる。開閉部材がどの程度まで開かれた時点において距離Ｎがゼロになるかは特に限定されないが、図２１には、載置面と開閉部材３との成す角度が１３５度の場合に距離Ｎがゼロになる例が示されている。
【００６２】
ここで、上記のように、開閉部材３が開かれているか否かを示す境界を９０度とする場合、図１８および図１９それぞれに示した状態は、開閉部材３が開かれていない状態に相当し、図２０および図２１それぞれに示した状態は、開閉部材３が開かれた状態に相当し得る。したがって、図１８および図１９それぞれに示した状態と図２０および図２１それぞれに示した状態とにおいて、トルクを異ならせればよい。以下、トルクの設定についてより詳細に説明する。
【００６３】
開閉部材３が開かれた状態において、表示部８に対してユーザがタッチした場合、タッチによる開閉部材３への押圧が小さい間は本体２と開閉部材３とが共に静止しているが、タッチによる開閉部材３への押圧が増大すると、本体２に対して開閉部材３が回転するか本体２および開閉部材３が共に回転する可能性がある。しかし、上記したように、タッチによる開閉部材３への押圧が増大していった場合であっても、本体２に対して開閉部材３が回転しないように設計されるのが望ましい。
【００６４】
図２２は、本体２に対して開閉部材３が回転しないという条件を満たすために開閉部材３に加えられる力の大きさの上限値Ｆを説明するための図である。図２２に示された各パラメータの性質は、以下に示す通りである。なお、図２２に示した例では、開閉部材３が開かれた状態で操作装置１が載置面に載置されている場合を想定しており、屈曲部９が載置面に当接している。
【００６５】
Ｗ  ｂａｓｅ：    本体２に掛かる重力の大きさ
Ｗ  ｌｉｄ：      開閉部材３に掛かる重力の大きさ
Ｄ  ｔｏｕｃｈ：  回転軸Ｃからタッチ位置までの距離
Ｄ  ｃｇ−ｌｉｄ：回転軸Ｃから開閉部材３の重心までの距離
θ  ｌｉｄ：      開閉部材３と載置面との成す角の大きさ
Ｄ  ｌｅｖｅｒ：  回転軸Ｃから屈曲部９までの距離
θ  ｌｅｖｅｒ：  鉛直方向を基準とした屈曲部９の回転角度
【００６６】
また、上記の上限値Ｆを算出するための具体的な式の例は、以下の式（１）〜式（３）に示す通りである。
Ｆ＝｛（Ｔ  ｈｉｎｇｅ×２）−Ｔ  ｌｉｄ＋Ｔ  ｂａｓｅ｝／
Ｄ  ｔｏｕｃｈ×１０００                        ［ｇｆ］・・・式（１）
【００６７】
Ｔ  ｌｉｄ＝Ｗ  ｌｉｄ×Ｄ  ｃｇ−ｌｉｄ×ｓｉｎ（θ  ｌｉｄ−９０）
［Ｋｇｆ−ｃｍ］・・・式（２）
【００６８】
Ｔ  ｂａｓｅ＝Ｗ  ｂａｓｅ／２×Ｄ  ｌｅｖｅｒ×ｓｉｎ（θ  ｌｅｖｅｒ）
［Ｋｇｆ−ｃｍ］・・・式（３）
【００６９】
このようにして算出される理論値としての上限値Ｆよりもタッチにより開閉部材３に加えられる力の大きさの実測値が小さいという条件を満たすようにトルクを設定すれば、タッチによる開閉部材３への押圧が増大していった場合であっても、本体２に対して開閉部材３が回転してしまうことを防止することができると考えられる。
【００７０】
さらに、屈曲部９と載置面との当接により本体２の手前側が持ち上がってしまうのを妨げる力が加えられる。しかし、タッチにより開閉部材３に加えられる力の大きさが限界値を超えた場合には、本体２の手前側が持ち上がってしまうと考えられる。したがって、この限界値よりもタッチにより開閉部材３に加えられる力の大きさの実測値が小さいという条件を満たすようにトルクを設定すれば、タッチによる開閉部材３への押圧が増大していった場合であっても、本体２の手前側が持ち上がってしまうことを防止することができると考えられる。
【００７１】
続いて、トルクをどのように変化させればよいかについて具体例を説明する。上記したように、開閉部材３が開かれた状態と開閉部材３が開かれていない状態とにおいて、トルクが異なっているのがよい。具体的には、開閉部材３が開かれていない状態においては、開閉部材３と載置面との成す角度が所定の角度を超えてからトルクが一様となり、開閉部材３が開かれた状態においては、開閉部材３と載置面との成す角度が所定の区間内の場合にトルクが増大するようにすればよい。
【００７２】
図２３は、載置面と開閉部材３とが成す角度とトルクとの関係の第１の例を示す図である。なお、ここで示すトルクの大きさについては、本体２と開閉部材３とを連結するヒンジによって生じるトルクの大きさを示すものである。図２３に示した例では、開閉部材３が開かれていない状態においては、開閉部材３と載置面との成す角度が所定の角度を超えてからトルクがＴ１となり、開閉部材３が開かれた状態においては、開閉部材３と載置面との成す角度が１０５度から１２５度までの場合にトルクがＴ２まで増大している（ラインＬ１、Ｌ２）。ラインＬ２では、開閉部材３と載置面との成す角度が１２５度から１３５度までの場合にもトルクが増大している。
【００７３】
また、図２４は、載置面と開閉部材３とが成す角度とトルクとの関係の第２の例を示す図である。なお、ここで示すトルクの大きさについては、本体２と開閉部材３とを連結するヒンジによって生じるトルクの大きさを示すものである。図２４に示した例では、開閉部材３が開かれていない状態においては、開閉部材３と載置面との成す角度が所定の角度を超えてからトルクがＴ１となり、開閉部材３が開かれた状態においては、開閉部材３と載置面との成す角度が９０度から１０５度までの場合に、トルクがＴ２まで増大している。
【００７４】
以上のように、載置面と開閉部材３とが成す角度とトルクとの関係の例を示したが、所定の角度は特に限定されない。図２３および図２４に示した例において、開閉部材３が開かれていない状態において載置面と開閉部材３とが成す角度が所定の角度に達するまでの区間でトルクが一様ではない。これは、この区間が操作装置１の動作に特に影響を与えない区間（遊びの区間）に相当することを考慮したためであるが、このような区間は特に考慮されなくてもよい。
【００７５】
また、トルクが増大する所定の区間の開始角度は、１０５度近傍の角度であるとよい。ユーザが操作装置１を使用するときには、載置面と開閉部材３とが成す角度が１０５度近傍の角度に達するまで開閉部材３が開かれるのが一般的だからである。具体的には、所定の区間の開始角度は、９０度〜１１０度の範囲内のいずれかの角度であるとよい。なお、図２３に示した例では、所定の区間の開始角度が１０５度であり、図２４に示した例では、所定の区間の開始角度が９０度である。
【００７６】
所定の区間におけるトルクは、図２３および図２４に示したように、線形的に増大するのが望ましい。しかし、所定の区間におけるトルクは必ずしも線形的に増大しなくてもよい。ただし、上記したように、開閉部材３と載置面との成す角度が大きくなるにつれて、回転軸Ｃから載置面に下ろした垂線の足と当接位置との距離Ｎは徐々に小さくなるため、表示部８への接触に起因する開閉部材３のふらつき易さは高まっていくと考えられる。そこで、ふらつき易さを補完することを考慮してトルクを徐々に増大させるのがよい。
【００７７】
トルクＴ１に対するトルクＴ２の割合は特に限定されないが、１．０５倍から１．３倍までの間であってよい。より望ましくは、トルクＴ１に対するトルクＴ２の割合は、１．２倍程度であるとよい。
【００７８】
さらに、図２４に示したように、所定の区間に続いてトルクが一様になる区間が設けられるのが望ましい。例えば、図２３のラインＬ１では、１２５度から１３５度までの区間においてトルクが一様となっており、図２４に示した例では、１０５度から１３５度までの区間においてトルクが一様となっている。しかし、所定の区間に続く区間が狭い場合（例えば、所定の区間に続く区間が２０度より狭い場合など）には、図２３のラインＬ２に示したように、所定の区間に続いてトルクが一様になる区間が設けられていなくてもよい。
【００７９】
＜８．磁石の使用＞
以上、トルクをどのように変化させればよいかについて具体例を説明した。続いて、操作装置１に対してさらに追加することが可能な構成を説明する。図２５は、操作装置１に対して磁石Ｍを付加させる例を示す図である。図２５に示すように、開閉部材３と本体２との対応する位置には、磁石Ｍを付加させるとよい。そうすれば、操作装置１を使用していない状態において本体２が開閉部材３をより確実に保持することが可能となる。また、開閉部材３の開閉動作をスムーズに行うことが可能となる。
【００８０】
図２５に示した例では、２対（合計４個）の磁石Ｍが操作装置１に付加されているが、磁石Ｍは少なくとも１対（合計２個）以上が操作装置１に付加されていればよい。また、図２５に示した例では、操作装置１の外側に磁石Ｍが装着されているが、磁石Ｍは、操作装置１の内側に組み込まれてもよい。
【００８１】
＜９．むすび＞
以上説明したように、本開示の実施形態によれば、本体２の厚みが奥側から手前側に向けて減少し、かつ、開閉部材３が開かれると本体２が開閉部材の屈曲部９と載置面との当接により押し上げられる。その結果、本体２の上面の手前側の縁部２２と載置面との段差ｘ’を小さくすることができる。かかる構成により、ユーザが本体の上面と載置面との境界を意識せずに手を置けるので、ユーザはパームレスト５が無限に続いているかのような感覚で操作装置１を使用することが可能となる。
【００８２】
また、開閉部材３の第１領域３１および第２領域３２が成す角度θが鋭角であるので、本体２の持ち上げ量を大きくすること、第１領域３１と本体２との間隔Ｌを小さくすること、および本体２を押し上げた状態で容易に支持することが可能である。
【００８３】
なお、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００８４】
また、以下のような構成も本開示の技術的範囲に属する。
【００８５】
（１）
上面に操作部が設けられた本体と、
前記本体の第１の側の縁部に位置する回転軸を中心に前記本体の上面に対して開閉可能に設けられた開閉部材と、
を備え、
前記開閉部材が開かれると前記開閉部材の少なくとも一部と載置面との当接により前記本体が押し上げられ、
前記本体の厚みは、前記第１の側から前記第１の側と反対側の第２の側に向けて減少する、操作装置。
【００８６】
（２）
前記開閉部材は、屈曲部、前記屈曲部により区分される第１領域および第２領域を有し、
前記屈曲部が前記載置面に当接する、前記（１）に記載の操作装置。
【００８７】
（３）
前記回転軸および前記屈曲部間の長さは、前記回転軸および前記本体の底面間の長さよりも長い、前記（２）に記載の操作装置。
【００８８】
（４）
前記開閉部材の前記第１領域と前記第２領域は鋭角を成す、前記（２）または（３）に記載の操作装置。
【００８９】
（５）
前記第１領域と前記第２領域とが成す角度は４５度以下である、前記（４）に記載の操作装置。
【００９０】
（６）
前記上面の前記第２の側の縁部は、前記本体の底面の前記第２の側の縁部よりも突出している、前記（１）〜（４）のいずれか一項に記載の操作装置。
【００９１】
（７）
前記開閉部材が開かれた状態において、前記上面の前記第２の側の縁部の前記載置面からの高さは、前記上面の第１の側の縁部の載置面からの高さの１／３以下となる、前記（１）〜（６）のいずれか一項に記載の操作装置。
【００９２】
（８）
前記開閉部材が開かれた状態において、前記上面の傾斜の延長線と前記載置面とが交差する点の前記本体からの距離は、前記本体の前記第１の側と前記第２の側の縁部の間の長さの半分よりも小さい、前記（１）〜（６）のいずれか一項に記載の操作装置。
【００９３】
（９）
前記開閉部材が開かれた状態と前記開閉部材が開かれていない状態とにおいて、前記開閉部材と前記本体とを連結するヒンジ部のトルクが異なる、前記（１）〜（８）のいずれか一項に記載の操作装置。
【００９４】
（１０）
前記開閉部材が開かれていない状態においては、前記開閉部材と載置面との成す角度が所定の角度を超えてから前記トルクが一様となり、前記開閉部材が開かれた状態においては、前記開閉部材と載置面との成す角度が所定の区間内の場合に前記トルクが増大する、前記（９）に記載の操作装置。
【００９５】
（１１）
前記所定の区間の開始角度は、１０５度近傍の角度である、
前記（１０）に記載の操作装置。
【００９６】
（１２）
前記所定の区間の開始角度は、９０度〜１１０度の範囲内のいずれかの角度である、
前記（１１）に記載の操作装置。
【００９７】
（１３）
前記本体が前記載置面に載置された状態において、前記開閉部材が押圧された場合に、前記開閉部材が開かれた状態においては、前記開閉部材が前記本体に対して回転せず、前記開閉部材が開かれていない状態においては、前記開閉部材が前記本体に対して回転する、
前記（１）〜（１２）のいずれか一項に記載の操作装置。
【００９８】
（１４）
前記開閉部材は、前記載置面に当接する屈曲部を有し、
前記屈曲部は、前記開閉部材が開かれると前記回転軸から前記載置面に下ろした垂線の足よりも奥側において前記載置面に当接する、
前記（１）〜（１３）のいずれか一項に記載の操作装置。
【符号の説明】
【００９９】
１  操作装置
２  本体
３  開閉部材
４  キーボードユニット
５  パームレスト
６  外部接続端子
８  表示部
９  屈曲部
２１  底面の手前側の縁部
２２  上面の手前側の縁部
３１  第１領域
３２  第２領域
【図１】
2014061302.tif 000004
【図２】
2014061302.tif 000005
【図３】
2014061302.tif 000006
【図４】
2014061302.tif 000007
【図５】
2014061302.tif 000008
【図６】
2014061302.tif 000009
【図７】
2014061302.tif 000010
【図８】
2014061302.tif 000011
【図９】
2014061302.tif 000012
【図１０】
2014061302.tif 000013
【図１１】
2014061302.tif 000014
【図１２】
2014061302.tif 000015
【図１３】
2014061302.tif 000016
【図１４】
2014061302.tif 000017
【図１５】
2014061302.tif 000018
【図１６】
2014061302.tif 000019
【図１７】
2014061302.tif 000020
【図１８】
2014061302.tif 000021
【図１９】
2014061302.tif 000022
【図２０】
2014061302.tif 000023
【図２１】
2014061302.tif 000024
【図２２】
2014061302.tif 000025
【図２３】
2014061302.tif 000026
【図２４】
2014061302.tif 000027
【図２５】
2014061302.tif 000028
【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
上面に操作部が設けられた本体と、
前記本体の第１の側の縁部に位置する回転軸を中心に前記本体の上面に対して開閉可能に設けられた開閉部材と、
を備え、
前記開閉部材が開かれると前記開閉部材の少なくとも一部と載置面との当接により前記本体が押し上げられ、
前記本体の厚みは、前記第１の側から前記第１の側と反対側の第２の側に向けて減少する、操作装置。
【請求項２】
前記開閉部材は、屈曲部、前記屈曲部により区分される第１領域および第２領域を有し、
前記屈曲部が前記載置面に当接する、請求項１に記載の操作装置。
【請求項３】
前記回転軸および前記屈曲部間の長さは、前記回転軸および前記本体の底面間の長さよりも長い、請求項２に記載の操作装置。
【請求項４】
前記開閉部材の前記第１領域と前記第２領域は鋭角を成す、請求項２または３に記載の操作装置。
【請求項５】
前記第１領域と前記第２領域とが成す角度は４５度以下である、請求項４に記載の操作装置。
【請求項６】
前記上面の前記第２の側の縁部は、前記本体の底面の前記第２の側の縁部よりも突出している、請求項１〜４のいずれか一項に記載の操作装置。
【請求項７】
前記開閉部材が開かれた状態において、前記上面の前記第２の側の縁部の前記載置面からの高さは、前記上面の第１の側の縁部の載置面からの高さの１／３以下となる、請求項１〜６のいずれか一項に記載の操作装置。
【請求項８】
前記開閉部材が開かれた状態において、前記上面の傾斜の延長線と前記載置面とが交差する点の前記本体からの距離は、前記本体の前記第１の側と前記第２の側の縁部の間の長さの半分よりも小さい、請求項１〜６のいずれか一項に記載の操作装置。
【請求項９】
前記開閉部材が開かれた状態と前記開閉部材が開かれていない状態とにおいて、前記開閉部材と前記本体とを連結するヒンジ部のトルクが異なる、請求項１〜８のいずれか一項に記載の操作装置。
【請求項１０】
前記開閉部材が開かれていない状態においては、前記開閉部材と載置面との成す角度が所定の角度を超えてから前記トルクが一様となり、前記開閉部材が開かれた状態においては、前記開閉部材と載置面との成す角度が所定の区間内の場合に前記トルクが増大する、請求項９に記載の操作装置。
【請求項１１】
前記所定の区間の開始角度は、１０５度近傍の角度である、
請求項１０に記載の操作装置。
【請求項１２】
前記所定の区間の開始角度は、９０度〜１１０度の範囲内のいずれかの角度である、
請求項１１に記載の操作装置。
【請求項１３】
前記本体が前記載置面に載置された状態において、前記開閉部材が押圧された場合に、前記開閉部材が開かれた状態においては、前記開閉部材が前記本体に対して回転せず、前記開閉部材が開かれていない状態においては、前記開閉部材が前記本体に対して回転する、
請求項１〜１２のいずれか一項に記載の操作装置。
【請求項１４】
前記開閉部材は、前記載置面に当接する屈曲部を有し、
前記屈曲部は、前記開閉部材が開かれると前記回転軸から前記載置面に下ろした垂線の足よりも奥側において前記載置面に当接する、
請求項１〜１３のいずれか一項に記載の操作装置。
【手続補正２】
【補正対象書類名】明細書
【補正対象項目名】０００９
【補正方法】変更
【補正の内容】
【０００９】
【図１】本開示の実施形態による操作装置１の外観を示した斜視図である。
【図２】開閉部材３が閉じられている閉状態の操作装置１を示した側面図である。
【図３】開閉部材３が開かれている開状態の操作装置１を示した側面図である。
【図４】本体２の外観を示した側面図である。
【図５】開閉部材３の構成を示した側面図である。
【図６】載置面に載置された開状態の操作装置１を示した側面図である。
【図７】操作装置１の構成の変形例を示した側面図である。
【図８】操作装置１の構成の変形例を示した側面図である。
【図９】操作装置１の構成の変形例を示した側面図である。
【図１０】操作装置１の構成の変形例を示した側面図である。
【図１１】開状態の操作装置１の平面図である。
【図１２】開状態の操作装置１の背面図である。
【図１３】開状態の操作装置１の正面図である。
【図１４】開状態の操作装置１の右側面図である。
【図１５】開状態の操作装置１の左側面図である。
【図１６】開状態の操作装置１の底面図である。
【図１７】操作装置１のハードウェア構成を示したブロック図である。
【図１８】開閉部材３が閉じられている状態における操作装置１を示した側面図である。
【図１９】開閉部材３と載置面との成す角度が６０度の場合における操作装置１を示した側面図である。
【図２０】開閉部材３と載置面との成す角度が１０５度の場合における操作装置１を示した側面図である。
【図２１】開閉部材３と載置面との成す角度が１３５度の場合における操作装置１を示した側面図である。
【図２２】本体２に対して開閉部材３が回転しないという条件を満たすために開閉部材３に加えられる力の大きさの上限値Ｆを説明するための図である。
【図２３】載置面と開閉部材３とが成す角度とトルクとの関係の第１の例を示す図である。
【図２４】載置面と開閉部材３とが成す角度とトルクとの関係の第２の例を示す図である。
【図２５】操作装置１に対して磁石Ｍを付加させる例を示す図である。
【国際調査報告】
2014061302.tif 000029
2014061302.tif 000030
2014061302.tif 000031
2014061302.tif 000032